(57)【要約】【課題】装着した際に、金属アレルギーを引き起こすことなく、且つ、耳たぶの痛みの発生を抑制するイヤリング用の部材及びそれを用いたイヤリングを提供する。【解決手段】イヤリング用の部材１０は、耳たぶを挟み込み、耳たぶに固定されるように構成されている線状の金属１１で形成されており、この線状の金属１１の表面は、樹脂の一例であるシリコンで形成されたカバー１２で覆われている。イヤリング１は、線状の金属１１の耳たぶに接する表面の全てを、カバー１２が、覆っている構成であり、装着した際に、金属アレルギーを引き起こすことなく、且つ、耳たぶの痛みの発生を抑制することができるものである。【選択図】図１
0003213268.tif 000002
【実用新案登録請求の範囲】
【請求項１】
耳たぶを挟み込み前記耳たぶに固定されるように線状の金属で形成されたイヤリング用の部材であって、
前記線状の金属の表面は、樹脂で形成されたカバーで覆われていることを特徴とするイヤリング用の部材。
【請求項２】
前記カバーは、
前記耳たぶの表側に当接する部分を有する第１のカバーと、
前記耳たぶの裏側に当接する部分を有する第２のカバーと、
前記第１のカバーと前記第２のカバーを介在し前記耳たぶの下側に沿うように形成されている第３のカバーと、を有し、
前記第１のカバーと前記第２のカバーと前記第３のカバーは、一体的になるように形成されており、
前記第１のカバーの厚さと前記第２のカバーの厚さは、前記第３のカバーの厚さよりも、より厚くなるように形成されていることを特徴とする請求項１に記載のイヤリング用の部材。
【請求項３】
前記樹脂は、シリコンであることを特徴とする請求項１または請求項２に記載のイヤリング用の部材。
【請求項４】
耳たぶを挟み込むことで耳たぶに固定されるイヤリングであって、
請求項１から請求項３のいずれかに記載のイヤリング用の部材と、装飾部と、を有し、
前記イヤリング用の部材と前記装飾部が一体的になるように形成されていることを特徴とするイヤリング。
【考案の詳細な説明】
【技術分野】
【０００１】
本考案は、イヤリング用の部材及びイヤリングに関する。
【背景技術】
【０００２】
金属製の弾性線材の一方の終端を幅広に曲げて成型した部分に、シリコ製のカバーを被せて使用することにより、耳たぶに挟着した際の痛みを緩和できるイヤリング用の金具を用いたイヤリングが開示されている。（特許文献参照）。
【先行技術文献】
【特許文献】
【０００３】
【特許文献１】特開２０１１−０４１８１１号公報
【考案の概要】
【考案が解決しようとする課題】
【０００４】
しかし、上記のイヤリングは、耳たぶとの接触面積が増えることにより、耳たぶに加わる圧力が分散されるので、金具を耳たぶに挟着した際の痛みを緩和できる、というものであるが、金属アレルギーには、対応していないという問題があった。
【０００５】
本考案は、こうした点に鑑みてなされたものであり、装着した際に、金属アレルギーを引き起こすことなく、且つ、耳たぶの痛みの発生を抑制するイヤリング用の部材及びそれを用いたイヤリングを提供することである。
【課題を解決するための手段】
【０００６】
上記課題を解決するために、本考案に係るイヤリング用の部材は、耳たぶを挟み込み前記耳たぶに固定されるように線状の金属で形成されたイヤリング用の部材であって、前記線状の金属の表面は、樹脂で形成されたカバーで覆われていることを特徴とする。
【０００７】
本考案に係るイヤリング用の部材の態様について、前記カバーは、前記耳たぶの表側に当接する部分を有する第１のカバーと、前記耳たぶの裏側に当接する部分を有する第２のカバーと、前記第１のカバーと前記第２のカバーを介在し前記耳たぶの下側に沿うように形成されている第３のカバーと、を有し、前記第１のカバーと前記第２のカバーと前記第３のカバーは、一体的になるように形成されており、前記第１のカバーの厚さと前記第２のカバーの厚さは、前記第３のカバーの厚さよりも、より厚くなるように形成されていることが好ましい。
【０００８】
本考案に係るイヤリング用の部材の態様について、前記樹脂は、シリコンであることが好ましい。
【０００９】
上記課題を解決するために、本考案に係るイヤリングは、耳たぶを挟み込むことで耳たぶに固定されるイヤリングであって、請求項１から請求項３のいずれかに記載のイヤリング用の部材と、装飾部と、を有し、前記イヤリング用の部材と前記装飾部が一体的になるように形成されていることを特徴とする。
【考案の効果】
【００１０】
本考案によれば、装着した際に、金属アレルギーを引き起こすことなく、且つ、耳たぶの痛みの発生を抑制するイヤリング用の部材及びそれを用いたイヤリングを提供することができる。
【図面の簡単な説明】
【００１１】
【図１】実施形態のイヤリング用の部材及びそれを用いたイヤリングを示す模式図である。
【図２】実施形態のイヤリング及び従来のイヤリングの例を示す参考図である。
【考案を実施するための形態】
【００１２】
以下、本考案のイヤリング用の部材及びそれを用いたイヤリングを、図１及び図２を用いて説明する。
【００１３】
図１は、実施形態のイヤリング用の部材１０及びイヤリング用の部材１０を用いたイヤリング１を示す模式図であり、図２は、実施形態のイヤリング１を示す参考図である。
【００１４】
イヤリング用の部材１０は、耳たぶを挟み込み、耳たぶに固定されるように構成されている線状の金属１１で形成されており、この線状の金属１１の表面は、樹脂の一例であるシリコンで形成されたカバー１２で覆われている。
【００１５】
上記の樹脂の一例であるシリコンは、より透明なものを用いることで、線状の金属１１を美的なものとして視認されるようにすることができる。なお、線状の金属１１は、例えば、金、プラチナ、銀、真鍮、ステンレスなどを素材としたものである。
【００１６】
カバー１２は、耳たぶの表側に当接する部分を有する第１のカバー１２ａと、耳たぶの裏側に当接する部分を有する第２のカバー１２ｂと、第１のカバー１２ａと第２のカバー１２ｂを介在し、耳たぶの下側に沿うように形成されている第３のカバー１２ｃとを有している。そして、カバー１２ａ、第２のカバー１２ｂ及び第３のカバー１２ｃは、一体的なカバー１２となるように形成されている。
【００１７】
上記のとおり、カバー１２は、第１のカバー１２ａ、第２のカバー１２ｂ及び第３のカバー１３ｃが、線状の金属１１を覆うように構成されていることにより、イヤリング用の部材１０は、耳たぶの表側、裏側及び下側の部分に線状の金属１１が触れることのない構成となっている。
【００１８】
実施形態においては、第１のカバー１２ａの厚さと第２のカバー１２ｂの厚さは、第３のカバー１２ｃの厚さよりも、より厚くなるように形成されている。イヤリング用の部材がこのように形成されることにより、耳たぶに挟着した際の痛みを和らげる構成とすることができる。
【００１９】
なお、上記のカバー１２の各部分の厚さは、一例であり、第１のカバー１２ａ、第２のカバー１２ｂ及び第３のカバー１２ｃの各厚さは、同じであってもよく、適宜最適なものにするとよい。
【００２０】
図１に示すように、イヤリング１は、イヤリング用の部材１０と装飾部２０が、一体的になるように形成されており、耳たぶを挟み込むことで耳たぶに固定されるように構成されている。装飾部２０は、一般的に、宝石、人造宝石、真珠、人造パールなどの、美しい外観を有する装飾物と、金属で形成された台座で構成されている。イヤリング１は、例えば、この台座と線状の金属１１が、ロウ付け、半田付け、のり付け、鋳造などにより一体的に形成されているものである。
【００２１】
図２（ａ）は、実施形態のイヤリング１の一例を示す参考図であり、図２（ｂ）は、従来のイヤリング１Ａの一例を示す参考図である。
【００２２】
図２（ｂ）に示すとおり、従来のイヤリング１Ａは、イヤリング用の部材１０Ａ、線状の金属１１Ａ、カバー１２Ａ、及び装飾部２０Ａを有している。このイヤリング１Ａは、カバー１２Ａを有しているが、線状の金属１１Ａの一部しか覆っていないことより、金属アレルギーに対しては、全く対応していない構成である。
【００２３】
一方、図２（ａ）に示すイヤリング用の部材１０及びそれを用いたイヤリング１は、線状の金属１１の耳たぶに接する表面の全てを、カバー１２が、覆っている構成であり、金属アレルギーを気にすることなく使用できるものとなっている。すなわち、イヤリング１は、装着した際に、金属アレルギーを引き起こすことなく、且つ、耳たぶの痛みの発生を抑制することができるものである。
【００２４】
以上、本考案の有する特徴及び優れた点を上記実施形態に記載したが、本考案は、本願の実用新案登録請求の範囲で使用されている言葉を広く一般的な意味に拡張して実施することができる。
【００２５】
また、本考案のイヤリング用の部材及びそれを用いたイヤリングは、大きさや形状、素材の種類、厚さ、重さなどについては多様な実施形態が可能であり、それらについて本実施形態と異なる形態による実施は、本考案の技術的範囲に含まれる。
【符号の説明】
【００２６】
１，１Ａ        イヤリング
１０，１０Ａ    イヤリング用の部材
１１，１１Ａ    線状の金属
１２，１２Ａ    カバー
１２ａ    第１のカバー
１２ｂ    第２のカバー
１２ｃ    第３のカバー
２０，２０Ａ    装飾部
【図１】
0003213268.tif 000003
【図２】
0003213268.tif 000004